(57)【要約】【課題】フィルターで雑菌が増殖するのを抑制し、且つ、有害なオゾンが本体ケース外に漏洩するのを防止する。【解決手段】送風機３４の駆動により本体ケース１内に吸い込んだ空気をフィルター２９、３０、３１で浄化して本体ケース外に吹き出す空気清浄機において、オゾン発生装置３７を制御すると共に送風機３４を制御する制御部６１を具え、この制御部６１は、送風機３４を所定の風量以下にて駆動した際に、オゾン発生装置３７を動作可能とする。【効果】オゾンが外部に漏洩する恐れの少ない所定の風量以下で運転している場合には、オゾンにてフィルターでの雑菌の殺菌や臭気成分の分解を行うことができ、オゾンの外部への漏洩の恐れが高くなる所定の風量以上で運転している場合には、オゾン発生手段を停止することで、オゾンの漏洩を防止した状態で部屋の空気を迅速且つ安全に浄化できる。【選択図】　　　図９
2004121324.tif 000002
【特許請求の範囲】
【請求項１】
送風機の駆動により本体ケース内に吸い込んだ空気をフィルターで浄化して本体ケース外に吹き出す空気清浄機において、オゾン発生手段を制御すると共に前記送風機を制御する制御部を具え、該制御部は、前記送風機を所定の風量以下にて駆動した際に、前記オゾン発生手段を動作可能とし、前記オゾン発生手段にて発生したオゾンを前記送風機にて発生した風により前記フィルターに当てるようにしたことを特徴とする空気清浄機。
【請求項２】
前記制御部は、運転時間が所定の累積時間に達する毎に、前記送風機が所定の風量以下の状態で前記オゾン発生手段を動作させることを特徴とする請求項１に記載の空気清浄機。
【請求項３】
前記制御部は、前記オゾン発生手段を所定の時間動作させると共に前記送風機が所定の風量以下の場合に前記所定の時間のカウントを行うことを特徴とする請求項１又は請求項２に記載の空気清浄機。
【請求項４】
送風機の駆動により本体ケース内に吸い込んだ空気をフィルターで浄化して本体ケース外に吹き出す空気清浄機において、オゾン発生手段を制御すると共に浄化する空気の汚れ状態に応じて前記送風機を制御する制御部を具え、該制御部は、前記汚れ状態が所定以下の場合に、前記オゾン発生手段を動作可能とし、前記オゾン発生手段にて発生したオゾンを前記送風機にて発生した風により前記フィルターに当てるようにしたことを特徴とする空気清浄機。
【請求項５】
前記制御部は、運転時間が所定の累積時間に達する毎に、前記汚れ状態が所定以下の状態で前記オゾン発生手段を動作させることを特徴とする請求項４に記載の空気清浄機。
【請求項６】
前記制御部は、前記オゾン発生手段を所定の時間動作させると共に前記汚れ状態が所定以下の場合に前記所定の時間のカウントを行うことを特徴とする請求項４乃至請求項５に記載の空気清浄機。
【請求項７】
前記オゾン発生手段は、前記フィルターの上部に位置させてなる請求項１乃至請求項６のいずれかに記載の空気清浄機。
【発明の詳細な説明】
【０００１】
【発明の属する技術分野】
本発明は、送風機の駆動により本体ケース内に吸い込んだ空気を浄化して本体ケース外に吹き出す空気清浄機に関する。
【０００２】
【従来の技術】
従来、この種の空気清浄機として、本体ケース内に設けられた送風機の駆動によって本体ケース内に吸い込んだ空気を、集塵フィルターと脱臭フィルターとを順次通過させ、集塵フィルターで塵埃を除去すると共に脱臭フィルターで臭気成分を除去して浄化し、この浄化した空気を本体ケース外に吹き出すものが知られている（特許文献１）。
【０００３】
このような空気清浄機は、集塵フィルターにて捕集された塵埃に雑菌が付着して増殖すると、やがて、本体ケース外に吹き出された空気が臭うようになり、使用者に不快感を与えることがあった。また、集塵フィルターの交換時に増殖した雑菌が飛散し、不衛生となっていた。
【０００４】
この点を解消するものとして、出願人は、既に、累積運転時間が所定時間に達する毎に、所定の動作時間だけ、送風機にて最も少ない微弱での送風を行い、且つ、オゾン発生装置にてオゾンを発生させ、集塵フィルターに付着した雑菌の殺菌及び臭気成分の分解を行うものを出願している（特許文献２）。
【０００５】
しかしながら、浄化しようとしている部屋の空気が汚れている場合でも、累積運転時間が所定時間に達すると、オゾンを発生して風量は微弱にされるので、この間に効率良く部屋の空気の浄化を行えないという問題が生じる。かといって、このオゾン発生時に、部屋の空気の汚れ状態に応じて風量を変えるようにすると、空気が汚れて風量が多くなっている（風速が速くなる）場合に、有害なオゾンが充分に分解されずに浄化された空気と一緒に本体ケース外に漏洩しやすくなるという問題が生じる。
【０００６】
【特許文献１】
特開２００２−７９０１８号公報（３頁の段落番号１７から同頁の段落番号１９及び図２）
【特許文献２】
特願２００２−２７４６６０号（明細書の１１頁の段落番号５３から１２頁の段落番号６１及び図７）
【０００７】
【発明が解決しようとする課題】
本発明は、オゾン発生手段を用いて集塵フィルター等のフィルターで雑菌が増殖するのを抑制できるようにしても、迅速に部屋の汚れた空気を浄化でき、且つ、有害なオゾンが本体ケース外に漏洩することのない空気清浄機を提供することを課題とする。
【０００８】
【課題を解決するための手段】
上記課題を解決するための第１の手段は、送風機の駆動により本体ケース内に吸い込んだ空気をフィルターで浄化して本体ケース外に吹き出す空気清浄機において、オゾン発生手段を制御すると共に前記送風機を制御する制御部を具え、この制御部は、前記送風機を所定の風量以下にて駆動した際に、前記オゾン発生手段を動作可能とし、前記オゾン発生手段にて発生したオゾンを前記送風機にて発生した風により前記フィルターに当てるようにしたものである。
【０００９】
かかる構成により、オゾンの外部への漏洩の恐れが少ない所定の風量以下で運転している場合に、オゾン発生手段を動作させることで、オゾンにてフィルターに付着する雑菌の殺菌や臭気成分の分解を安全に行うことができると共に、オゾンの外部への漏洩の恐れが高くなる所定の風量以上で運転する場合には、オゾン発生手段を停止することでオゾンの漏洩を防止でき、部屋の空気を安全且つ迅速に浄化ができる。
【００１０】
上記構成において、前記制御部は、運転時間が所定の累積時間に達する毎に、前記送風機が所定の風量以下の状態で前記オゾン発生手段を動作させるようにすれば、使用者が特段操作しなくとも定期的にオゾンを発生させ、フィルターに付着する雑菌を殺菌できる。またフィルターに吸着した臭気成分も分解して除去する。
【００１１】
また、前記制御部は、前記オゾン発生手段を所定の時間動作させると共に前記送風機が所定の風量以下の場合に前記所定の時間のカウントを行うことで、所定時間の中にはオゾンが漏洩する恐れが高くなる所定の風量以上で運転している時間は含まれず、フィルターに付着した雑菌の殺菌や、臭気成分の分解を安全且つ充分に行うことができる。
【００１２】
上記課題を解決するための第２の手段は、送風機の駆動により本体ケース内に吸い込んだ空気をフィルターで浄化して本体ケース外に吹き出す空気清浄機において、オゾン発生手段を制御すると共に浄化する空気の汚れ状態に応じて前記送風機を制御する制御部を具え、この制御部は、前記汚れ状態が所定以下の場合に、前記オゾン発生手段を動作可能とし、前記オゾン発生手段にて発生したオゾンを前記送風機にて発生した風により前記フィルターに当てるようにしたものである。
【００１３】
かかる構成により、部屋の汚れ度合いが所定以下の場合には、オゾンの外部への漏洩の恐れが少ない風量で運転しているので、フィルターに付着する雑菌の殺菌や臭気成分の分解を行うためにオゾンを発生させてもオゾンの外部への漏洩を防止して安全に行うことができると共に、部屋の汚れ度合いが所定以上の場合には、オゾンの外部への漏洩の恐れが高くなる風量で運転しているので、オゾン発生手段を停止することでオゾンが外部に漏洩することがなく、部屋の空気を安全且つ迅速に浄化できる。
【００１４】
上記構成において、前記制御部は、運転時間が所定の累積時間に達する毎に、前記汚れ状態が所定以下の状態で前記オゾン発生手段を動作させることで、使用者が特段操作しなくとも定期的にオゾンを発生させ、フィルターに付着する雑菌の殺菌やフィルターに吸着した臭気成分も分解して除去でき、しかも少ない風量で運転されているのでオゾンの外部への漏洩を防止できる。
【００１５】
また、前記制御部は、前記オゾン発生手段を所定の時間動作させると共に前記汚れ状態が所定以下の場合に前記所定の時間のカウントを行うことで、所定時間の中には、部屋の汚れ状態が所定以上で所定の風量以上で運転する場合の時間は含まれず、フィルターに付着した雑菌の殺菌や、臭気成分の分解を安全且つ充分に行うことができる。
【００１６】
また、前記オゾン発生手段は、前記フィルターの上部に位置させることで、空気より重いオゾンが自重により下方に移動して拡散するようになり、フィルターのより広い範囲を満遍なく殺菌したり臭気成分を分解したりすることができる。
【００１７】
【発明の実施の形態】
本発明の実施の形態における空気清浄機を図１乃至図９に基づき説明する。尚、以降、前カバー３側を正面とし、後ケース２側を背面とする。
【００１８】
１は合成樹脂にて形成された空気清浄機の本体ケースで、図４に示すように正面側を開口する後ケース２と、この後ケース２に着脱自在に装着される前カバー３とから構成されている。
【００１９】
前カバー３には上部に後述する操作部３９（図６）が形成され、図１に示すように正面の略中央には透光性を有する化粧板４が設けられている。この化粧板４の左右両側面と底部には図４及び図５に示すように前カバー３の裏面側と連通する開口５が形成されており、後述する側方吸気口８、下部吸気口７等に加え、これらの開口５からも本体ケース１内に空気を取り入れるようにしている。
【００２０】
前記前カバー３において化粧板４の下方には、化粧板４の底部の開口５周縁から前方側に膨出する膨出部６が形成されており、この膨出部６の底面側には前カバー３のほぼ全体に渡って横長の下部吸気口７が形成されている。
【００２１】
また、前カバー３の相対向する一側面（左側面）と他側面（右側面）には切り欠きにて側方吸気口８、８が夫々形成されている。これらの側方吸気口８、８の近傍には、側方吸気口８から吸い込んだ空気を前カバー３の裏面側へ案内する変向部９がネジ１０にて夫々取り付けられている。
【００２２】
また、前カバー３の裏面には、図３乃至図５に示すように各側方吸気口８周縁から内方に向かって複数のリブ１１が形成されている。更に、底部から上方側に向かって複数のリブ１２が形成されている。
【００２３】
一側面側のリブ１１の中間位置には斜め上方に傾斜する第１案内部１３が形成され、他側面側のリブ１１の中間位置には斜め下方に傾斜する第２案内部１４が形成されている。更に、前カバー３の底部側のリブ１２は、下部吸気口７近傍から一側面側へ屈曲され、斜め上方に傾斜する第３案内部１５が形成されている。
【００２４】
また、前カバー３の底部には、図４に示すように後ケース２の正面側下部に形成された係止孔１６に挿入される係止部１７が形成され、前カバー３の左右両側には図１及び図２に示す押しボタン１８の操作により後述する仕切板２７に着脱自在に係止される係止爪（図示せず）が形成されている。
【００２５】
後ケース２の底部には脚１９が一体に形成されている。この脚１９の正面側には前カバー３の下部吸気口７に対面する個所に正面側に向かって下る傾斜面２０が形成されている。そして、傾斜面２０には連通口２１が形成されている。また、後ケース２の両側面の下部には側面副吸気口２２が形成され、背面の下部には背面副吸気口２３が形成されている。そして、本体ケース１内には、側面副吸気口２２及び背面副吸気口２３と連通口２１とを介して本体ケース１外と連通する通路２４が脚１９内の空間を利用して形成されている。ここで、１ａは脚１９内の空間と背面副吸気口２３とを連通させるための穴である。
【００２６】
後ケース２の上面には格子状の排気口２５が形成され、背面には図示しない把手と渦巻き状のファンケーシング２６が形成されており、このファンケーシング２６内は排気口２５を介して本体ケース１外と連通されている。
【００２７】
２７は本体ケース１内を前後に区画する仕切板で、その中央部に前後の空間を連通する穴２７ａが形成されている。この仕切板２７には、前カバー３（正面）側を開口する凹状の収納部２８が形成されており、この収納部２８に、プレフィルター２９と集塵フィルター３０と脱臭フィルター３１とが風下側に向かって順次収納される。
【００２８】
前記プレフィルター２９は、格子状の合成樹脂製枠体上に不織布からなるフィルター素材（図示せず）を保持した構成となっており、その上端を収納部２８の上壁に形成されたリブ３２と集塵フィルター３０との間に挿入し、下端を収納部２８の下壁に形成した孔３３に係止して取り付けられる。
【００２９】
前記集塵フィルター３０は、エレクトレット化されたポリプロピレン不織布を襞折り状に加工してその周囲を紙製枠体に固着して形成されており、プレフィルター２９を通過した空気中の塵埃を除去する。
【００３０】
そして、前記脱臭フィルター３１は活性炭等を内蔵し、空気中の臭気成分を吸着して除去する。
【００３１】
また、収納部２８の近傍には粉塵センサ６０（図８）が設けられている。この粉塵センサ６０は、本体ケース１内に吸い込まれた空気に光を照射して反射した光の量を検出する。そして、花粉が含まれる可能性のある直径が所定値ｄ以上の粉塵（ここでは１μｍ以上）であるダスト大の量と、花粉が含まれる可能性の殆どない直径が所定値ｄ未満の粉塵であるダスト小の量とを夫々検知し、後述する制御部６１へ出力する。
【００３２】
３４は仕切板２７の後ケース２側に配設される送風機で、仕切板２７に取り付けられたモータ３５と、このモータ３５により駆動されるファン３６とで構成されている。
【００３３】
３７はプレフィルター２９の外側に位置して本体ケース１の上部に設けられたオゾン発生手段としてのオゾン発生装置で、セラミックで覆われた電極間に高電圧（ここでは直流６ｋＶ）を印加することでオゾンを発生させる。
【００３４】
３８は本体ケース１の上部に設けられた制御基板で、制御部６１が設けられている。この制御部６１には、図８に示すように、粉塵センサ６０、ガスセンサ６２、モード選択スイッチ４６、受信部４５、送風機３４、オゾン発生装置３７及び表示部６３が接続されている。そして、制御部６１は、粉塵センサ６０、ガスセンサ６２、モード選択スイッチ４６、受信部４５からの信号が入力され、粉塵センサ６０と後述するガスセンサ６２からの出力に応じて、ダスト大、ダスト小及び臭気成分の量を、少ない場合Ａ、中程度の場合Ｂ、多い場合Ｃの３段階にそれぞれ判別すると共に、送風機３４、オゾン発生装置３７及び表示部６３を制御する。また、電源が投入されると運転の累積時間Ｔのカウントを開始し、運転停止時に累積時間Ｔのカウントが停止されると共に累積時間Ｔの値及び後述するオゾン発生装置３７の動作時間ＴＴの値が記憶される。
【００３５】
３９は本体ケース１の上部に設けられた操作部で、図６に示すように交換時期表示灯４０と、後述する図７に示すフィルター浄化モード時に表示される表示灯４１と、タイマー表示灯４２と、汚れ状態表示灯４３と、運転モード表示灯４４とから構成される前記表示部６３と、図示しないリモコンからの信号を受信する前記受信部４５と、前記モード選択スイッチ４６等が設けられている。この操作部３９の内方にはガスセンサ６２が設けられている。
【００３６】
交換時期表示灯４０は累計の運転時間が所定値に達すると点滅し、この点滅により集塵フィルター３０及び脱臭フィルター３１の交換時期を使用者に知らせる。
【００３７】
タイマー表示灯４２はリモコンからの信号により設定された時間（ここでは１時間、２時間及び８時間の３種類）を３段階に点灯して表示すると共に、運転停止までの時間に応じて段階的に消灯し、使用者に運転停止までの時間を認識させる。
【００３８】
汚れ状態表示灯４３は、本体ケース１内に吸い込まれた空気の汚れ状態を粉塵センサ６０からの出力に応じて表示するダスト大表示灯４７及びダスト小表示灯４８と、ガスセンサ６２からの出力に応じて表示される臭い表示灯４９とで構成されている。
【００３９】
ダスト大表示灯４７はダスト大の量に応じて制御部６１にて制御され、少ない場合Ａで緑、中程度の場合Ｂで黄色、多い場合Ｃで赤く点灯される。一方、ダスト小表示灯４８はダスト小の量に応じて制御部６１にて制御され、少ない場合Ａで緑、中程度の場合Ｂで黄色、多い場合Ｃで赤く点灯される。
【００４０】
そして、臭い表示灯４９はガスセンサ６２で検知された臭気成分の量に応じて制御部６１にて制御され、少ない場合Ａで緑、中程度の場合Ｂで黄色、多い場合Ｃで赤く点灯される。
【００４１】
これらダスト大表示灯４７、ダスト小表示灯４８及び臭い表示灯４９の表示にて使用者に部屋の汚れ状態を認識させる。
【００４２】
運転モード表示灯４４は、自動モードを表示する自動表示灯５０と、風量が微弱、弱、中、強、特強の順で段階的に表示領域が広くなって各風量を識別可能に表示する風量表示灯５１と、ターボモードを表示するターボ表示灯５２と、花粉モードを表示する花粉表示灯５３とから構成される。風量表示灯５１は微弱モード、弱モード、中モード、強モード、特強モードで設定される風量によって各モードを認識できるようにもなっている。
【００４３】
モード選択スイッチ４６は、押す毎に、自動モード、微弱モード、弱モード、中モード、強モード、特強モード、ターボモード、花粉モード、運転停止とが順次切り換えられるようになっている。
【００４４】
自動モードでは粉塵センサ６０やガスセンサ６２で検知された出力に基づいて制御部６１によって送風機３４による風量が自動的に調整される。具体的には、粉塵センサ６０で検知されたダスト大の量とダスト小の量及びガスセンサ６２にて検知された臭気成分の量のうちの全てが少ない場合Ａで微弱の風量に設定され、いずれかが中程度の場合Ｂで他が少ない場合Ａに弱の風量に設定され、いずれかが多い場合Ｃで中の風量に設定される。
【００４５】
微弱モード、弱モード、中モード、強モード及び特強モードでは、粉塵センサ６０やガスセンサ６２からの出力に関係なく、微弱モード、弱モード、中モード、強モード、特強モードの順に風量が多くなるようにそれぞれ風量が設定されて運転される。
【００４６】
ターボモードにおいては所定時間（ここでは３分）特強の風量で運転した後、所定時間（ここでは３分）強の風量で運転して停止される。このモードを行うことで、部屋が多くの塵埃や臭気成分で汚れた状態であっても、塵埃や臭気成分を急速に除去して所定の量以下の状態に迅速にすることができる。
【００４７】
花粉モードでは、ダスト大の量によって設定される風量を通常の風量より一段階多くなる、具体的には、ダスト大が少ない場合Ａで弱、中程度の場合Ｂで中、多い場合Ｃで強の風量に設定される。そして、自動運転時と同様に、ダスト大の量に応じた風量と、ダスト小の量に応じた風量と、臭い成分の量に応じた風量の内、最も多い風量でファン３６が駆動される。この花粉モードの運転を花粉が多く浮遊していると思われる時期に行うことで、通常の風量より多くして気になる花粉を迅速に除去することができる。
【００４８】
次に動作について説明する。
【００４９】
電源切り状態からモード選択スイッチ４６を押すと電源が投入され、制御部６１に記憶された累積時間Ｔの値からカウントが開始されると共に、モード選択スイッチ４６を押す毎に運転モードが切り換えられる。そして、自動モード等が選択されると、送風機３４のファン３６が選択されたモードに応じた風量にて駆動される。
【００５０】
ファン３６が駆動されると、一側面及び他側面の側方吸気口８、８からは変向部９にてリブ１１側に案内されながら本体ケース１のプレフィルター２９の風上側に空気が吸い込まれる。そして、プレフィルター２９の風上側の面に沿うようにして、一側面側から吸い込まれた空気は一側面側のリブ１１に形成された第１案内部１３に案内されて風向が水平方向から斜め上方側に向かって変更され、他側面から吸い込まれた空気は他側面側のリブ１１に形成された第２案内部１４に案内されて風向が斜め下方に変更される。
【００５１】
そして、下部吸気口７からは脚１９の傾斜面２０に案内されてスムーズに床面近傍の空気が吸い込まれ、リブ１２に形成された第３案内部１５に案内されて風向が上方から一側面側の斜め上方に変更される。
【００５２】
このように、第１案内部１３と第２案内部１４と第３案内部１５で夫々風向を変向することで、吸引された空気はプレフィルター２９の風上側の面に沿うようにして旋回しながらプレフィルター２９側に向かうようになる。
【００５３】
また、化粧板４の周縁の開口５からも本体ケース１内に空気が吸い込まれる。特に、下側の開口５からは膨出部６に案内されてスムーズに空気が取り入れられる。
【００５４】
また、下部吸気口７から吸い込まれる空気の流れに誘引されて、背面副吸気口２３及び左右両側面の側面副吸気口２２、２２から床面近傍の空気が吸い込まれ、通路２４から連通口２１、下部吸気口７を介して本体ケース１内のプレフィルター２９の風上側に流入する。
【００５５】
このようにして、プレフィルター２９の風上側に流入した空気は第１案内部１３、第２案内部１４及び第３案内部１５に風向を変更されることで旋回しながらプレフィルター２９を通過して粗塵が除去され、集塵フィルター３０を通過してプレフィルター２９を通過した塵埃が除去され、脱臭フィルター３１を通過して臭気成分が除去される。そして、塵埃や臭気成分を除去して浄化された空気は穴２７ａからファンケーシング２６内に流入し、ファンケーシング２６に案内されて排気口２５から吹き出される。これにより、空気清浄機が設置された部屋の空気が浄化される。
【００５６】
次に、図９のフローチャートに基づいて上記運転中に行われるフィルター浄化モードについて説明する。
【００５７】
上記運転中、累積時間Ｔが所定時間ｔ０（ここでは２４時間）以上なったかどうかが判断され（ステップＳ１）、ｔ０より小さい場合はそのままの運転で累積時間Ｔのカウントが行われ（ステップＳ２）、ステップＳ１に戻る。
【００５８】
ｔ０以上になると累積時間Ｔが初期化される（ステップＳ３）。そして、累積時間Ｔのカウントを行い（ステップＳ４）、運転中の風量、即ち、前述の微弱、弱、中、強、特強のいずれかを検知し、この風量が所定値（ここでは「弱」）以下かどうかが判断される（ステップＳ５）。
【００５９】
風量が所定値を超える（中以上）場合には、フィルター浄化モードでの運転は行わず、オゾン発生装置３７を停止し、動作時間ＴＴをそのままの値とし（ステップＳ６）、ステップＳ８に移行する。
【００６０】
風量が所定値以下の場合は、オゾンを発生させても外部に漏洩する恐れの少ない風量であると判断し、表示灯４１を点灯する。そして、オゾン発生装置３７を図７に示すように第１所定時間ｔ１（ここでは６分）動作した後第２所定時間ｔ２（ここでは６分）停止するという動作を繰り返すフィルター浄化モードでの運転を開始すると共に、動作時間ＴＴのカウントを開始し（ステップＳ７）、ステップＳ８に移行する。
【００６１】
この運転時、オゾン発生装置３７を動作するとオゾンが発生する。発生したオゾンは、空気より重いことから、プレフィルター２９の上方に位置するオゾン発生装置３７から自重でプレフィルター２９側へ拡散すると共に、第１案内部１３と第２案内部１４と第３案内部１５によって旋回するように流れる空気に乗ってプレフィルター２９の上流側で満遍なく拡散する。拡散されるオゾンは短時間のうちに分解されて、活性酸素等を発生させながらプレフィルター２９、集塵フィルター３０、脱臭フィルター３１を通過する。
【００６２】
そして、拡散されたオゾンの分解にて発生した活性酸素等にて、プレフィルター２９、集塵フィルター３０及び脱臭フィルター３１に付着した雑菌が満遍なく殺菌され、雑菌の増殖が抑制されると共に、吸着した臭気成分が満遍なく分解される。
【００６３】
この運転中、フィルター浄化モードでの動作時間ＴＴが所定時間ｔ３に達したかどうかが判断され（ステップＳ８）、達していない場合にはステップＳ４に戻り、上記運転が継続される。
【００６４】
達した場合には、プレフィルター２９、集塵フィルター３０及び脱臭フィルター３１等に付着した雑菌や臭気成分の除去が充分に行われたと判断し、動作時間ＴＴを初期化して（ステップＳ９）、フィルター浄化モードでの運転を完了し、ステップＳ１に戻る。
【００６５】
上述の如く、所定時間ｔ０毎にプレフィルター２９、集塵フィルター３０及び脱臭フィルター３１を浄化するフィルター浄化モードでの運転を自動的に行うことで、プレフィルター２９、集塵フィルター３０及び脱臭フィルター３１での雑菌の増殖を抑制できると共に臭気成分の除去を行うことができるので、長期間運転を行っても増殖した雑菌が排気口２５から排出されることがなく使用できると共に、臭気成分が排気される風に乗って排出されることがなく、快適に使用できる。また、プレフィルター２９等の交換時に、プレフィルター２９や集塵フィルター３０から増殖した雑菌が飛散することがなく、衛生的に作業を行うことができる。
【００６６】
このフィルター浄化モードでの運転を、浄化しようとする部屋の空気の汚れ状態に応じて設定される風量を検知して、風量が所定値（弱）を超える（中以上）場合に一次停止するようにすることで（ステップＳ５、ステップＳ６）、部屋の空気の汚れがひどい場合には、オゾンを発生させず、オゾンの外部への漏洩の恐れのない状態で部屋の空気の汚れの浄化を優先的に行うことができる。
【００６７】
また、風量が所定値以下になるまでフィルター浄化モードでの運転を一次停止することで、フィルター浄化モードでの動作時間ＴＴの中に、部屋の空気の汚れ状態がひどくなって風量が所定値以上で運転される時間は含まれず、フィルター浄化モードでの運転が所定時間行われ、プレフィルター２９、集塵フィルター３０及び脱臭フィルター３１を安全且つ充分に浄化できる。
【００６８】
尚、上記実施の形態の如く、累積時間Ｔが所定値ｔ０毎にフィルター浄化モードでの運転を行うようにして、使用者が特段操作しなくとも定期的にオゾンを発生させ、プレフィルター２９、集塵フィルター３０及び脱臭フィルター３１を浄化するようにしたが、手動スイッチ等によりフィルター浄化モードを行うようにしても良い。
【００６９】
また、フィルター浄化モードにおいて部屋の空気の汚れ状態に応じて風量が変化する場合を示したが、これに限定されるものではなく、モード選択スイッチ４６の手動操作により風量が設定される場合にも同様の制御が行われるようになっている。
【００７０】
このフィルター浄化モードは、浄化する空気の汚れ状態に応じて設定される風量を検知して、この風量に基づいてフィルター浄化モードでの運転を行うかどうかを判断したが、浄化する空気の汚れ状態、即ち、粉塵センサ６０やガスセンサ６２からの出力に応じてフィルター浄化モードでの運転を行うかどうかを判断するようにしても良い。
【００７１】
また、オゾン発生装置３７をプレフィルター２９の外方で上方側に位置させ、プレフィルター２９などの交換に邪魔にならず、且つ、発生するオゾンをその自重でプレフィルター２９の下方側に向かって拡散させるようにすることが望ましいが、オゾン発生装置３７はプレフィルターの側方側等他の場所に設けても良い。
【００７２】
また、フィルターとしてプレフィルター２９と集塵フィルター３０と脱臭フィルター３１とを設けた場合を示したが、これらのうちの一つ又は２つが設けられていても良い。
【００７３】
【発明の効果】
本発明の請求項１によれば、オゾンの外部への漏洩の恐れが少ない所定の風量以下で運転している場合には、オゾン発生手段を動作させることで、オゾンにてフィルターに付着する雑菌の殺菌や臭気成分の分解を安全に行うことができると共に、オゾンの外部への漏洩の恐れが高くなる所定の風量以上で運転している場合には、オゾン発生手段を停止することでオゾンの漏洩を防止でき、部屋の空気を安全且つ迅速に浄化できる。
【００７４】
本発明の請求項２によれば、使用者が特段操作しなくとも定期的にオゾンを発生させ、フィルターに付着する雑菌の殺菌や吸着した臭気成分の分解を行うことができる。
【００７５】
本発明の請求項３によれば、所定時間の中には、オゾンが漏洩する恐れが高くなる所定の風量以上で運転している時間は含まれず、フィルターに付着した雑菌の殺菌や、臭気成分の分解を安全且つ充分に行うことができる。
【００７６】
本発明の請求項４によれば、部屋の汚れ度合いが所定以下の場合には、オゾンの外部への漏洩の恐れが少ない風量で運転しているので、フィルターに付着する雑菌の殺菌や臭気成分の分解を行うためにオゾンを発生させてもオゾンの外部への漏洩を防止して安全に行うことができると共に、部屋の汚れ度合いが所定以上の場合には、オゾンの外部への漏洩の恐れが高くなる風量で運転しているので、オゾン発生手段を停止することでオゾンが外部に漏洩することがなく、部屋の空気を安全且つ迅速に浄化できる。
【００７７】
本発明の請求項５によれば、使用者が特段操作しなくとも定期的にオゾンを発生させ、フィルターに付着する雑菌の殺菌やフィルターに吸着した臭気成分も分解して除去できる。
【００７８】
本発明の請求項６によれば、所定時間の中にはオゾンが漏洩する恐れが高くなる所定の風量以上で運転している時間は含まれず、フィルターに付着した雑菌の殺菌や、臭気成分の分解を安全且つ充分に行うことができる。
【００７９】
本発明の請求項７によれば、空気より重いオゾンが自重により下方に移動して拡散するようになり、フィルターのより広い範囲を満遍なく殺菌したり臭気成分を分解したりすることができる。
【図面の簡単な説明】
【図１】本発明の実施の形態を示す空気清浄機の正面図である。
【図２】同空気清浄機の側面図である。
【図３】同空気清浄機の前カバーを取り外した状態での正面図である。
【図４】同空気清浄機の側面断面図である。
【図５】同空気清浄機の平面断面図である。
【図６】同空気清浄機の操作部近傍の詳細図である。
【図７】同空気清浄機のオゾン発生装置の動作状態を示す図である。
【図８】同空気清浄機のブロック回路図である。
【図９】同空気清浄機のフィルター浄化モードが行われる場合の制御を示したフローチャートである。
【符号の説明】
１　　　　本体ケース
２９　　　　プレフィルター
３０　　　　集塵フィルター
３１　　　　脱臭フィルター
３４　　　　送風機
３７　　　　オゾン発生装置（オゾン発生手段）
４１　　　　表示灯（報知手段）
６１　　　　制御部
Ｔ　　　　累積時間
ｔ０　　　　所定時間（所定の累積時間）
ＴＴ　　　　動作時間
ｔ３　　　　所定時間
【図１】
2004121324.tif 000003
【図２】
2004121324.tif 000004
【図３】
2004121324.tif 000005
【図４】
2004121324.tif 000006
【図５】
2004121324.tif 000007
【図６】
2004121324.tif 000008
【図７】
2004121324.tif 000009
【図８】
2004121324.tif 000010
【図９】
2004121324.tif 000011